(57)【要約】【課題】  家屋等に降る雨水を雨水タンク５に貯水して利用する雨水取水装置において、降雨時の雨水タンク５内の雨水を所定水位まで確保すると共に、主として雨水タンク５の底面に蓄積する塵埃等の沈殿物６を、雨水タンク５に流入する余剰の雨水を利用して外部に自動的に排出して、保守作業の少ない使い勝手の良い雨水貯水装置を提供する。【解決手段】  立樋１内から取水した雨水を雨水タンク５内部に貯留し、貯留した雨水が雨水タンク５内の予め指定した溢水すべき水位Ｈ２に達したとき以降、タンク内に流入する余剰の雨水水量を、雨水タンク５の底面近傍に配設した溢水配管１０の溢水吸入口１１ａから沈殿物６と一緒に雨水タンク５外に排出させる。このとき、溢水配管１０の配管経路を雨水を溢水させるべき水位Ｈ２近傍まで一度上昇させて排水管に接続することにより、降雨後の雨水タンク５内の貯水水位を水位Ｈ２近傍まで確保することを可能ならしめる。【選択図】図１
2006299509.tif 000002
【特許請求の範囲】
【請求項１】
縦樋に接続されて該立樋内から取水した雨水を雨水タンク内部に貯留し、貯留した雨水が雨水タンク内の予め指定した溢水すべき水位に達したときに雨水を外部に排出する溢水配管を備えた雨水貯水装置であって、
前記溢水配管の溢水吸入口が雨水タンクの底面近傍に配設されて、前記溢水配管の経路が前記の溢水すべき水位の高さまで一度上昇した後、排水管に接続されていることを特徴とする雨水貯水装置。
【請求項２】
請求項1において、前記溢水配管の経路に旋回流発生部材を備えて、前記旋回流発生部材が内部の雨水流路外周にスクリュー形状を備えて内部を流れる雨水を旋回させることを特徴とする雨水貯水装置。
【請求項３】
請求項1又は請求項２において、縦樋から雨水タンクに雨水を供給する雨水供給配管の雨水供給排出端を略水平方向に配設して、雨水タンクに流入する雨水によって雨水タンクの底面近傍の雨水及び沈殿物を雨水タンク内で旋回させることを特徴とする雨水貯水装置。
【請求項４】
請求項1乃至３の何れかに記載の雨水貯水装置において、前記雨水供給排出端の下方で前記溢水配管の溢水吸入口の上方に雨水タンクの底面を覆う整流板を備えて、
貯留した雨水が雨水タンク内の予め指定した溢水水位に達して、前記整流板の下方の雨水が溢水配管から外部に排出されるときに、前記整流板の上方に供給された雨水が整流板下方に流入することによって前記整流板の下方の雨水及び沈殿物を旋回させることを特徴とする雨水貯水装置。
【請求項５】
請求項1乃至４の何れかに記載の雨水貯水装置において、雨水タンクに隣接する雨水貯水槽又は雨水タンクと一体の雨水貯水槽を備えて、
前記雨水タンクにおいて雨水中の塵埃の主要部を分離沈殿させて、前記雨水貯水槽に清浄な雨水を供給及び貯水して雨水利用に供することを特徴とする雨水貯水装置。
【発明の詳細な説明】
【技術分野】
【０００１】
本発明は、主として家屋等の屋根に降った雨水をタンク等に貯留する雨水貯水装置に係り、特に雨水中の塵埃が順次タンク底部に降下蓄積して形成される沈殿物を、外部動力を使用しないで降雨時の余剰雨水を利用して雨水タンクの外部に自動的に排出させる雨水貯水装置に関する。
【背景技術】
【０００２】
近年、家屋等の屋根に降る雨水を雨水タンクに貯水して、各種の用途に有効利用することが広く行われるようになった。しかし、屋根等に降る雨水を縦樋から貯水タンクに貯水するとき、雨水中の黄砂等を含む土ぼこり、枯葉や鳥の糞の如き自然に由来する塵埃、あるいは酸性雨、排気ガス中の浮遊粒子状物質如き産業に由来する塵埃等が雨水中に混入して、貯水した雨水の用途を制約する問題があった。また、これら塵埃が雨水タンクの主として底部に順次蓄積して大量の沈殿物となり、雨水を利用する際に沈殿物が雨水中に混入する問題や、雨水タンク内部の洗浄を実施するために時間と労力等を要する問題があった。
【０００３】
そして、これら雨水中の塵埃を排除するために複数の先行技術が提案されて、その一部は雨水貯水関連製品として実用化されている。例えば、縦樋を流下する雨水中の枯葉や大きな塵埃に対してフィルター機能を備えて外部に排除し、清浄な雨水を貯水しようとする雨水取水装置が提案されている。しかし、これらの雨水取水装置を利用した場合においても、雨水中の微細な塵埃を完全に除去することは困難であった。また、雨水タンク中で繁殖した微生物の死骸等は雨水タンクの主として底面に沈殿物として蓄積される問題があった。（引用文献1、引用文献２）
【０００４】
一方、前記の如きフィルターを利用した雨水取水装置による雨水の浄化対策の限界を考慮して、降雨時に雨水の一部分を連続して外部に放出してきれいな雨水を雨水タンクに貯水する技術や、別途、複数の水槽を利用して雨水中の不純物を比重差によって浮上又は沈殿させて分離して雨水を浄化した後、雨水タンクに貯留しようとする技術が提案されている。しかし、これらの雨水の浄化手段は装置が複雑、大掛かりなため家庭用レベルの小規模な貯水装置として利用することが困難であった。また、これらの装置を利用しても、雨水中に浮遊する微細な粉塵を流動状態の雨水から除去することは困難で、実態として微細な粉塵が雨水とともに雨水タンクに搬送されて最終的に底部に沈殿して蓄積され、所定のインターバルで保守、清掃を実施する必要があった。（引用文献３、引用文献４）
【０００５】
【特許文献１】特開２００２−７００８６
【特許文献２】特開２００１−２０７４８３
【特許文献３】特開２００２−１０５９９５
【特許文献４】特開２００２−１０１０
【発明の開示】
【発明が解決しようとする課題】
【０００６】
本発明は前記の如き従来技術の問題点に鑑みて、雨水タンクの主として底面に蓄積する汚泥状の沈殿物を、外部からの動力を使用することなく雨水タンク内に流入する雨水を利用して雨水タンクの外部に円滑に排出し、雨水タンク内の保守、清掃の手間を大幅に低減するとともに、より清浄な雨水の利用を可能ならしめる雨水貯水装置を提供することを目的とする。
【課題を解決するための手段】
【０００７】
請求項１の発明は、縦樋に接続されて該立樋内から取水した雨水を雨水タンク内部に貯留し、貯留した雨水が雨水タンク内の予め指定した溢水すべき溢水水位に達したときに、雨水タンク内の雨水を外部に排出する溢水配管を備えた雨水貯水装置であって、前記溢水配管の溢水吸入口が雨水タンクの底面近傍に配設されて、前記溢水配管の経路が前記の溢水水位の高さまで一度上昇した後、同等又は下降した高さで排水管に接続されていることを特徴とする雨水貯水装置に係る。
【０００８】
また請求項２の発明は、請求項1において、前記溢水配管の経路に旋回流発生部材を備えて、前記旋回流発生部材が内部の雨水流路外周のスクリュー形状により内部を流れる雨水に旋回させる力を与えることを特徴とする雨水貯水装置に係る。
【０００９】
さらに請求項３の発明は、請求項1又は請求項２において、縦樋から雨水を雨水タンクに供給する雨水供給配管の雨水供給排出端を略水平方向に配設して、雨水タンクに流入する雨水によって雨水タンクの底面近傍の雨水及び沈殿物を雨水タンク内で旋回させることを特徴とする雨水貯水装置に係る。
【００１０】
請求項4の発明は、請求項1乃至３の何れかに記載の雨水貯水装置において、前記雨水供給排出端の下方で前記溢水配管の溢水吸入口の上方に雨水タンクの底面を覆う整流板を備えて、貯留した雨水が雨水タンク内の予め指定した溢水水位に達して、前記整流板の下方の雨水が溢水吸入口から溢水配管を経由して外部に排出されるときに、前記整流板の上方に供給される雨水が前記整流板の下方に流入して、その流れによって前記整流板の下方の雨水及び沈殿物を旋回させることを特徴とする雨水貯水装置に係る。
【００１１】
請求項５の発明は、請求項1乃至４の何れかに記載の雨水貯水装置において、雨水タンクに隣接する雨水貯水槽又は雨水タンクと一体の雨水貯水槽を備えて、前記雨水タンクにおいて雨水中の塵埃の主要部を分離沈殿させて、前記雨水貯水槽に清浄な雨水を供給及び貯水して利用に供することを特徴とする雨水貯水装置に係る。
【発明の効果】
【００１２】
請求項１に記載の発明によれば、家屋等の立樋内から取水した雨水を雨水タンク内部に貯留し、貯留した雨水が雨水タンク内の予め指定した溢水水位に達したときに雨水を外部に排出する溢水配管を備えた雨水貯水装置において、溢水配管の溢水吸入口が雨水タンクの底面近傍に配設されて、溢水配管の経路が前記溢水水位の高さまで一度上昇した後、同等又は下降した高さで排水管に接続されている。
【００１３】
このため、雨水タンク内の液面が予め指定した溢水水位以上に達したとき、雨水タンク内に流入した雨水の水頭により、雨水タンク底面近傍の雨水は雨水タンクの底面近傍に配置された溢水配管の溢水吸入口から押出されて、溢水配管の溢水水位の高さに対応する位置を経由して、溢水水位と同等高さ又は下方の排水管に排出される。このため、降雨により雨水タンク内部の水位が略予め指定した溢水水位に達して、さらに降雨が継続した場合は、雨水タンク内部の水位は指定の溢水水位に保たれながら、雨水タンク底面近傍の雨水が雨水タンクの外部に排出される。
【００１４】
そして、雨水タンク底面近傍の雨水は、その近傍の沈殿物を浮遊させて雨水タンク外に排出することができるため、ポンプ等を利用しないで雨水タンクの内部特に底部の沈殿物を外部に排出して沈殿物の堆積を防止することができる。このため、雨水貯水装置が簡易な構成になるとともに外部動力を必要としないで、故障のない保守容易な雨水貯水装置を安価に提供できる。また、降雨に伴って自動的に頻度多く雨水タンク底部の沈殿物を雨水タンク外に排出、浄化しているため、汚泥等沈殿物の混入の少ない清浄な雨水を利用に供することができる効果がある。
【００１５】
請求項２に記載の発明によれば、請求項1において溢水配管経路に旋回流発生部材を備えて、旋回流発生部材が内部の雨水流路外周にスクリュー形状を備えて、雨水自体の流れによって自動的に内部を流れる雨水を旋回させる機能を備えている。この場合、旋回流は流体自体の流速増大を介して混入物搬送能力を増大させる機能を有するため、雨水タンク底面から溢水配管を経由して吸入された比較的比重の大きな塵埃を雨水とともに配管内で旋回させながら溢水配管上部まで持上げて前記排水管から外部に排出することができる。即ち、溢水配管経路の特に上昇部分における沈殿物の排出機能を向上させる効果がある。
【００１６】
また、溢水配管の溢水吸入口における雨水旋回流の回転エネルギーを雨水タンク底面近傍の雨水及び沈殿物に伝達させて、雨水タンク底面の沈殿物を広範囲に旋回あるいは攪拌して沈殿物を浮遊させ、吸引した沈殿物を前記溢水配管から有効に外部に排出することができる。この場合も、外部動力を必要としないので、故障のない保守容易な雨水タンク底面の沈殿物排出機能を貯水装置に安価に付与できる効果がある。
【００１７】
請求項３に記載の発明によれば、請求項１又は請求項２において、縦樋から雨水を雨水タンクに供給する雨水供給配管の雨水供給排出端を略水平に配設して、雨水タンクに流入する雨水によって雨水タンクの底面近傍の雨水及び沈殿物を雨水タンク内で旋回させる。このため、雨水タンクの底面の沈殿物は降雨時に流入する雨水により攪拌されて、雨水タンクの雨水を外部に溢水させる際に雨水タンク底面の沈殿塵埃を効率よく外部に排出することができる。なお、このとき前記雨水供給排出端を雨水タンクの底面近傍に配置すれば、降雨開始後早期に雨水タンク底面の沈殿物を旋回させることができる。
【００１８】
請求項4に記載の発明によれば、請求項1乃至３の何れかに記載の雨水貯水装置において、前記雨水供給排出端の下方で前記溢水配管の溢水吸入口の上方に、雨水タンクの底面を覆う整流板を配設している。そして、貯留した雨水が雨水タンク内の予め指定した溢水水位に達して、前記整流板の下方の雨水が前記溢水配管から外部に排出されるときに、前記整流板の上方に供給される雨水の流れが整流板を通過して前記整流板の下方に流入して、下方の雨水及び沈殿物が旋回させる構成としている。
【００１９】
このため、雨水タンク内の液面が予め指定した溢水水位に達していない場合は、前記整流板の下方への雨水の流入はほとんどなく、この領域の雨水が本格的に旋回流を発生することはない。この結果、雨水タンク内の液面が溢水水位に達していない場合には降雨時にあっても、前記整流板の上方に配設した利用雨水取水口近傍の雨水に沈殿物が混入して汚れることを防止して、降雨時にも汚れのない雨水の利用を可能ならしめる。
【００２０】
また、雨水タンク内の液面が溢水水位に達して、余剰の雨水が前記溢水配管から外部に排出される場合には、整流板を通過して下方に流入する雨水のために沈殿物が旋回あるいは攪拌されて、沈殿物が雨水と共に雨水タンク外に排出される。そして、この際の雨水利用に際しても、前記整流板上方の利用雨水取水口周辺の雨水への沈殿物の混入は前記整流板が防止して、汚れのない雨水の利用を可能ならしめている。このような降雨時の利用雨水の汚れ防止機能は、中水としてトイレの洗浄等の用途に雨水を供する際に特に要求され、利用雨水への沈殿物の混入を防止しながら雨水タンク底面の沈殿物を排除する機能は、雨水貯水装置の中水としての雨水利用の幅を広げることができる。
【００２１】
請求項５に記載の発明によれば、請求項1乃至４の何れかに記載の雨水貯水装置において、雨水タンクに隣接又は一体の雨水貯水槽を備えて、雨水タンクにおいて雨水中の塵埃の主要部を分離沈殿させて、雨水貯水槽に清浄な雨水を供給及び貯水して雨水利用に供する。このため、水中塵埃の沈殿物は雨水タンクで分離沈殿して降雨時の流入雨水により雨水タンク底部から自動的に外部に排出されて、雨水貯水槽には清浄な雨水が貯留される。このため、清浄度の高い雨水を従来に較べて少ない保守作業で利用することができる効果がある。
【発明を実施するための最良の形態】
【００２２】
以下、本発明を具体化した実施例を図１〜図８により説明する。図１は本発明に係る雨水貯水装置の実施例を示す縦断面正面図、図２は図1のＸ−Ｘ断面を示す平面図、図３は旋回流発生部材を備えた溢水配管の実施例としての断面図、図４は整流板の機能を説明する断面図、図５は雨水タンクを地下に埋設した実施例を示す縦断面正面図、図６は溢水配管を雨水タンクの外部に配設した実施例を示す縦断面正面図、図７は雨水タンクに隣接して雨水貯水槽を設置した実施例を示す縦断面正面図、図８は雨水タンクと一体の雨水貯水槽を備えた実施例を示す縦断面正面図である。
【００２３】
まず、図1に示す実施例としての縦断面正面図において装置の構成を説明すると、雨水は家屋等の屋根から縦樋1を矢印Ａの方向に流下して、公知の雨水取水装置２においてフィルター３により枯葉等の大きな塵埃は排除されて排水管２０を経由して地中の排水管２０ａに排出される。そして、濾過された雨水は雨水供給配管４を経由して雨水供給排出端4ａから雨水タンク５に供給されて雨水タンク５内に貯水される。
【００２４】
また、雨水タンク５の上部には蓋８が設置され、中央底面には雨水中の塵埃の沈殿物６が中央に集まるように底部くぼみ５ａが設けられている。そして、底部くぼみ５ａの略中央部の底面近傍に、貯留した雨水が雨水タンク内の予め指定した溢水水位Ｈ２に達したときに雨水を外部に排出する溢水配管１０の溢水吸入口１１ａが設置され、溢水配管１０は一度雨水タンク５の上部の指定した溢水水位Ｈ２まで上昇した後、下降して排水管２０に接続されている。
【００２５】
そして、タンク底面近傍の溢水吸入口１１ａよりやや高い位置で雨水タンク５底面の円周上の複数箇所に備えられた補強リブ５ｂ上に詳細後述の整流板７が設置されている。また、図２の平面図において、雨水供給配管４、雨水タンク５、整流板７、雨水取出し配管８、溢水配管１０、及び排水管２０の平面上の相対位置が示されている。また、整流板７には整流板７上方の雨水が下方に移動するときに雨水を円滑に流動させ、旋回流を発生させる詳細後述の複数の雨水流路穴１５が設けられている。
【００２６】
以下、図１において本発明に係る雨水貯水装置の機能を説明すると、縦樋1中を流下する雨水は実施例としての雨水取水装置２に流入し、内部に設置されたフィルター３で大きな枯葉や塵埃を排水管２０を経由して地中に埋設された排水管２０ａに排出する。そしてフィルター３を通過した雨水は、雨水取水装置２中で略水位Ｈ３の高さまで蓄留されながら、雨水供給配管４を経由して雨水供給排出端4ａから雨水タンク５に供給され、雨水タンク５内に順次貯水される。このとき、雨水中にはフィルター３を通過した細かい塵埃が含まれており、これら塵埃は雨水タンク５内部で雨水の流速が低下した時点で、水中を降下して雨水タンク５の底面に沈殿物６として堆積するため、前記の如く、その清掃が雨水貯水装置の保守上大きな課題になっている。
【００２７】
そして降雨が継続するに従って、例えば水位Ｈ１にあった雨水の水位は順次上昇して溢水すべき水位Ｈ２に到って、雨水はタンク底面近傍の溢水吸入口１１ａから溢水配管１０を経由して排水管２０に到って雨水タンク５の外部に排出される。即ち、本発明の雨水貯水装置は請求項１に記載の如く、雨水タンク５の底面近傍に溢水配管１０の溢水吸入口１１ａが配設されて、溢水配管１０の経路が一度溢水すべき水位Ｈ２の高さに対応する高さを経由して下降する装置構成となっている。このため、降雨が継続した際には余剰の雨水水量は雨水タンク５の底面近傍から溢水配管１０を経由して外部に排出され沈殿物６が外部に排出されるとともに、雨水タンク５内部の水位は雨が降り止んだ後も予め指定した略溢水水位Ｈ２の高さまで貯水されて、以後の雨水利用に供される。
【００２８】
そして、雨水取水装置２中の雨水貯留水位としての水位Ｈ３の高さは、雨水タンク５内の溢水水位Ｈ２より上方に設定されているため、水位Ｈ３と溢水水位Ｈ２の水頭差が雨水供給配管４及び溢水配管１０内の雨水を流動させる駆動力として作用する。なお、図1に例示する請求項１における排水管としての排水管２０や排水管２０ａは、特に管形状の構成に限定されず、側溝等各種形状の排水設備を利用することができる。
【００２９】
そして、降雨の流入により前記の装置構成において雨水タンク底面近傍の雨水が外部に排出されるときに、雨水タンク底面近傍の沈殿物６は雨水と共に溢水配管１０を経由して雨水タンク５外に自動的に排出される。即ち、本発明の雨水貯水装置は、雨水タンク５に流入する雨水により雨水タンク５の内部、特に底部の沈殿物６を自動的に排除して堆積を防止する機能を備えている。そして、ポンプ等を利用する必要性がないため、構成が簡易になると共に故障のない保守容易な沈殿物排出機能を備えた雨水貯水装置を安価に提供できる。
【００３０】
なお、必要に応じて溢水配管１０の上部に上部溢水口１０ｂを設ける等の手段で、降雨量の増大等で水位が水位Ｈ２よりさらに上昇して上部溢水口１０ｂの上端の開口部に達したとき、貯水の表面に浮遊している可能性のある油膜や枯葉等軽量の浮遊塵埃を上部溢水口１０ｂ上端の開口部から溢水配管１０に取込んで外部に排出することにより雨水取水装置２の塵埃除去機能を割愛することもできる。また、上部溢水口１０ｂを設けない場合に、水位が水位Ｈ２以上に上昇して溢水配管１０内に雨水が充満して、その後の降雨停止により溢水配管１０内にサイホン状態が形成されたときも、配管１０Ｃ側の配管径を途中から大きく設定する等の手段により、サイホン状態が継続して雨水タンク５内の雨水が必要以上に流出する事態を防止できる。
【００３１】
次に、請求項２に記載の発明に係る機能を図1において説明すると、実施例では溢水配管１０を構成する旋回流発生部材１１の下端の溢水吸入口１１ａは、底部くぼみ５ａの近傍にあって、上方の旋回流発生部材１２は溢水の水位Ｈ２のやや下方に配設されて配管で接続されている。図３の断面図に詳細を示す如く、旋回流発生部材１１内の溢水流路の外周にはスクリュー１１ｂが形成されて内部を流れる雨水に旋回させる力を付与する。また、本実施例では旋回流発生部材１１下端の溢水吸入口１１ａは、ラッパ状に広がって下方の雨水及び沈殿物の流入を円滑にすると共に、配管内の旋回流の下方雨水及び沈殿物への伝達を図っている。
【００３２】
また、上方に配設された旋回流発生部材１２は配管１０ａの上部の溢水水位Ｈ２近傍に配置されて、溢水流路の外周にはスクリュー１２ａが配置されて内部を流れる雨水を旋回させる力を与える。なお、配管１０ａ、１０ｂと旋回流発生部材１１、１２の接続手段として図示例では圧入と接着剤が使用されているが、配管自体のねじやセットボルトを利用して固定する等、固定手段は特に限定されない。
【００３３】
なお、スクリュー１１ｂ、スクリュー１２ａにおけるスクリューの好適な形状は、旋回流発生部材内部の流路面積と流量によって変化し、降雨量によって溢水流量が変化する雨水貯水装置において、最適なスクリュー角度及び溝形状を特定することは困難である。しかし、流路面積と流量幅を指定したテストで略好適なスクリュー形状を求めることができるため、実用上良好なスクリューの形状を決定することができる。また、本実施例において旋回流発生部材１１、１２と２箇所に利用したが、流路の下流側の旋回流発生部材１２で発生した旋回流が上流側に朔流して旋回流発生部材１１までの配管１０ａ内部の旋回流を発生させる傾向が大きく、旋回流発生部材１１は旋回流発生部材１２の機能を補助すると共に、溢水吸入口１１ａ下方の雨水を旋回させる機能を有する。なお、旋回流発生部材の設置個数、配設箇所及び形状は特に実施例に限定されず、旋回流発生部材１２にスクリュー形状を形成し、旋回流発生部材１１に相当する部材にはスクリューを形成しないでラッパ状の流入ガイドとする等、他の運用を図ることもできる。
【００３４】
次に図４において、先に請求項４に記載の整流板７周辺における雨水の流れを説明すると、降雨時に雨水供給排出端4ａから供給される雨水は、タンク５内の水位が溢水水位Ｈ２より低い位置にある間は、矢印Ｂの如く整流板７の上部を水平に旋回して、ほとんど整流板７の下部に流入しない。そして、タンク５内の水位が溢水水位Ｈ２を超えて、溢水配管１０を構成する旋回流発生部材１１を経由して、整流板７下方の雨水が流出を始めると整流板７上方の雨水は矢印Ｂ１の如く整流板７に設けられた複数の流入穴７ａから整流板７の下方に流入する。このとき雨水供給排出端4ａから供給される雨水は矢印Ｂの方向の速度成分を保有しているため、整流板７下方の雨水は矢印Ｂ方向の雨水に誘引されて旋回流発生部材１１の周りで順次旋回を開始する。
【００３５】
降雨が継続すると整流板７下方の雨水の旋回は順次激しくなり、雨水タンク５の底部くぼみ５ａ中に堆積している沈殿物６も雨水と共に旋回して雨水に浮遊する状態となり、雨水と共に旋回流発生部材１１から溢水配管１０を経由して雨水タンク５の外に排出される。このように適切な形状の流入穴７ａを備えた整流板７を雨水タンク５の底面近傍の適切な高さに設置することによって、タンク５内の水位が溢水水位Ｈ２より低い位置にある間は、降雨時にも流入する雨水が整流板７の下方にほとんど流入しないでタンク５底面の沈殿物６を攪拌しないため、雨水タンク５内の雨水を雨水取出し配管８から清浄な状態で取出して利用することができる。
【００３６】
そして、タンク５内の水位が溢水水位Ｈ２を超えたときには、整流板７上方の雨水が整流板７下方に流入して矢印Ｂ方向の雨水を旋回させて、沈殿物６を雨水タンク５外に排出してタンク内部を清浄に保つことができる。このとき、整流板７の下方で流入して沈殿物を浮遊させた雨水とほぼ同量の雨水が溢水配管１０から雨水タンク５から外部に排出されるため、汚れた雨水が整流板７の上方に移動することはほとんどなく、雨水取出し配管８から取出して利用する雨水には汚泥６は混入しないで清浄に保たれる。なお、新規に雨水タンクに供給される雨水中から整流板７の上方に順次堆積する汚泥は、前記の整流板７の下方に流入する矢印Ｂ１方向の雨水の流れによって、順次、整流板７の下方に搬入されて溢水配管１０を経由して雨水タンク５の外部に排出される。
【００３７】
また、請求項３に記載の如く、整流板７を利用しない場合には、雨水供給排出端4ａを下方の沈殿物６側に向けて雨水を沈殿物６に当てる構成として、降雨時に沈殿物を攪拌させて雨水タンク５外に排出することができる。この構成によれば、タンク５内の水位が溢水の水位Ｈ２より低い位置にある間も降雨時には沈殿物６が攪拌されて雨水取出し配管８から取出す雨水に沈殿物が混入することを防止できない。しかし、貯水装置の雨水の使用目的が園芸や洗車等、主として晴天時の用途に限定される場合には、降雨時にタンクから取出す雨水に沈殿物６が混入していることが問題とならならない。このため、雨水貯水装置の使用目的に応じて整流板７の適用要否を選択して雨水貯水装置を利用することができる。
【００３８】
図５は、雨水タンク５が地中に埋設される場合の本発明の適用例を示しており、以下、雨水タンク５を地上に設置した場合との差異を主体に説明する。この場合、雨水タンク５は地面Ｌの位置まで埋設されて、縦樋１中を流下する雨水は雨水取水装置２から雨水供給配管４を介して雨水タンク５に供給されて貯水される。そして、水位が上昇して水位Ｈ２に達したとき雨水タンク５内の余剰の雨水は、溢水吸入口１１ａから沈殿物６を混入しながら溢水配管１０に流入して配管１０ｃからから排水管２０ａに排出される。
【００３９】
そして、雨水タンク５内の雨水の利用に際しては、雨水タンク５を地上に設置した場合と異なり貯水されている雨水の水頭を利用して地上で雨水を利用することはできないため、図示の如く例えば雨水タンク５内にポンプ１３を設置する等の手段で、雨水を矢印Ｄのごとく雨水タンク５外に取出して利用する。なお、雨水タンク５の設置高さにかかわらず、雨水供給排出端4ａは矢印Ｂの如く水平に配設して雨水タンク底部の沈殿物の旋回を実施しても良いし、矢印Ｂ１の位置で留めて沈殿物の旋回機能を利用しない等、雨水タンク５内における供給雨水の用途に応じて雨水供給排出端4ａの設置形態は変更することができる。
【００４０】
なお、図１及び図５において、溢水配管１０を雨水タンク５の内部に配設した場合を示したが、図６に示す如く溢水吸入口１１ａを雨水タンク５の底面に設けて、溢水配管１０を雨水タンク５の外側に設置することもできる。この場合、沈殿物６は雨水タンク５の底面から下方に排出されるが、雨水タンク５の貯水の水位Ｈ２を確保するために溢水配管１０の経路を図１の場合と同様に一度上昇させた後、排水管２０から余剰水を排出する構成にして、本発明に係る雨水貯水装置の機能を果たすことができる。また、例示した雨水タンク５は円形断面としたが、矩形断面等他の断面形状の雨水タンクに対しても、本発明に係る技術を同様に適用することができる。
【００４１】
次に図７において別途、請求項５に記載する雨水貯水槽１６を追加設置して利用する場合を説明すると、雨水タンク５に縦樋１から供給された雨水は整流板１５で流れ方向を誘導されながら雨水タンク５内で流速を低下させることにより雨水中の塵埃を分離して結果として塵埃を沈殿物６とし、雨水タンク５に隣接して配置された雨水貯水槽１６に連通配管１７を通じて清浄な雨水を供給する。この装置構成によれば、雨水中の塵埃の大部分は雨水タンク５の中で除去されて、雨水貯水槽１６へは清浄な雨水が供給されるので、良好な条件で雨水貯水槽１６中に雨水を貯水して利用することができる。
【００４２】
また、雨水タンク５底部の沈殿物６は本件発明の手段で雨水タンク５中から外部に排除するため分離して設置された雨水貯水槽１６の雨水を混濁させることがない。なお、雨水に混入して雨水貯水槽１６に搬入される微量の塵埃の沈殿物６ａは、例えば底部排出配管９に設置されたバルブ９ａを必要に応じて開いて外部に排出することができる。
【００４３】
そして図８は、同じく請求項５に係り、雨水タンク５を雨水貯水槽１６の内部に一体に配置した例で、縦樋１の雨水排出端が円筒状の雨水タンク５の内周に添って雨水を排出するため雨水は雨水貯水槽１６側に緩やかに移動し、雨水中の塵埃の大部分を雨水タンク５中に沈殿物６として分離堆積させる。このため、雨水タンク５の外側の雨水貯水槽１６側においては清浄な雨水の貯水が可能となる。また、雨水貯水槽１６と共通する雨水タンク５の雨水が溢水すべき水位Ｈ２に達したときは、前記の説明と同様に雨水タンク５の底部の雨水及び沈殿物６が溢水配管１０を経由して外部に排出されて底部の清掃機能を行う。なお、この構成においても雨水タンク５の底面に図示省略の底部くぼみ５ａを設けて沈殿物６の排出を促進することもできる。
【００４４】
なお、前記の説明において、本発明の貯水装置はすべて雨水を雨水タンク５あるいは雨水貯水槽１６に貯水する場合に関して説明したが、雨水に加えて浴槽排水や洗濯すすぎ水等を本件発明の雨水タンクに貯水してトイレ洗浄用の中水等の利用に供する等、対象とする水を雨水以外の水に広げて本発明の装置を利用することもできる。この際、浴槽排水等は雨水タンク５に直接供給することもできるが、ポンプを利用して雨水取水装置２に雨水と同様に供給して塵埃を除去して雨水タンク５に供給することもできる。
【００４５】
また、図１以下の実施例において、縦樋１を流下する雨水中の塵埃を雨水取水装置２のフィルター３により除去して雨水タンク５に供給する構成に関して説明したが、雨水取水装置２に例示の雨水取水装置に替えて、雨水供給配管４の経路に枯葉や塵埃を除去する水槽式の塵埃除去装置を設置して、塵埃等を除去した雨水を雨水タンク５に供給して貯水することもできる。
【００４６】
なお、前記説明において雨水タンク５内に流入する降雨時の余剰の雨水を利用したタンク５底面の沈殿物の外部への排出手段をそれぞれ特定の装置構成による実施例を対象に説明したが、本発明は実施例の範囲に留まらず本発明の主旨の範囲で各種の応用ができることはいうまでもない。
【図面の簡単な説明】
【００４７】
【図１】雨水貯水装置の実施例を示す縦断面正面図。
【図２】図1のＸ−Ｘ断面を示す平面図。
【図３】旋回流発生部材を備えた溢水配管の実施例としての断面図。
【図４】整流板の機能を説明する断面図。
【図５】雨水タンクを地下に埋設した実施例を示す縦断面正面図。
【図６】溢水配管を雨水タンクの外部に配設した実施例を示す縦断面正面図。
【図７】雨水タンクに隣接して雨水貯水槽を設置した実施例を示す縦断面正面図。
【図８】雨水タンクと一体の雨水貯水槽を備えた実施例を示す縦断面正面図。
【符号の説明】
【００４８】
１      縦樋
２      雨水取水装置
３      フィルター
４      雨水供給配管
４ａ    雨水供給排出端
５      雨水タンク
５ａ    底部くぼみ
６      沈殿物
７      整流板
７ａ    流入穴
８      雨水取出し配管
８ａ    バルブ
９      清掃配管
９ａ    バルブ
１０    溢水配管
１０ａ  配管
１０ｂ  上部溢水口
１１    旋回流発生部材１１
１１ａ  溢水吸入口１１ａ
１１ｂ  スクリュー１１ｂ
１２    旋回流発生部材１２
１２ａ  スクリュー１２ａ
１３    ポンプ１３
１４    利水配管１４
１５    整流板１５
１６    雨水貯水槽１６
１７    連通配管１７
１９    台座
２０    排水管２０
２０ａ  排水管２０ａ
Ｈ１    水位Ｈ１
Ｈ２    水位Ｈ２
Ｈ３    水位Ｈ３
Ｌ      地面Ｌ
【図１】
2006299509.tif 000003
【図２】
2006299509.tif 000004
【図３】
2006299509.tif 000005
【図４】
2006299509.tif 000006
【図５】
2006299509.tif 000007
【図６】
2006299509.tif 000008
【図７】
2006299509.tif 000009
【図８】
2006299509.tif 000010